(57)【特許請求の範囲】
【請求項１】
展示棚の周辺を照明する演出用照明器具と、展示棚に収容される展示物の色調を人が認識し易いように当該展示物を照明する前記演出用照明器具とは別の確認用照明器具とを備えた展示棚照明システムであって、
展示棚の通路側と、展示棚の棚内又は開口近傍とを検知エリアとする人感センサと、
前記人感センサの人感検知信号に基づいて、検知エリア内の人がどのような行動態様であるかを判別し、人が展示棚の通路側を通行していると判別されたときは、前記演出用照明器具を点灯させ、人が展示物を取ろうとしていると判別されたときは、前記確認用照明器具を点灯させる制御部と、を備えたことを特徴とする展示棚照明システム。
【請求項２】
前記確認用照明器具は、通路床面から略120cm以下の高さに設置されていることを特徴とする請求項１に記載の展示棚照明システム。
【請求項３】
前記人感検知信号は、通信用インターフェースを介して展示物を管理するための管理用サーバに送信されることを特徴とする請求項１又は請求項２に記載の展示棚照明システム。
【発明の詳細な説明】
【技術分野】
【０００１】
本発明は、展示棚の周辺及び展示棚に収容された展示物を照明する照明システムに関する。
【背景技術】
【０００２】
従来より、人感センサの人感検知信号に基づいて照明器具の点灯状態を制御する照明システムが知られている。この種の照明システムにおいて、例えば、展示物を照明する照明器具と、顧客が展示棚に接近したことを検知する人感センサとを備え、人感センサが検知状態でないときには、照明器具の明るさを下げ、人感センサが検知状態であるときには、照明器具の明るさを上げるようにした展示棚用の照明システムがある（例えば、特許文献１及び特許文献２参照）。
【特許文献１】特開２００６−２６６６４５号公報
【特許文献２】特開２００３−３１０４００号公報
【発明の開示】
【発明が解決しようとする課題】
【０００３】
ところが、上述したような照明システムでは、人感センサの検知信号によって、検知エリア内の人が展示棚に面した通路を通行している状態であるのか、展示棚に手を入れて展示物を取ろうとしている状態であるのかを自動的に判別することができない。そのため、上記照明器具として展示棚の周辺を照明する演出用照明器具と、展示物の色調を人が認識し易いように展示物を照明する確認用照明器具を設けた場合に、これらの照明器具を上述したような行動態様に応じて的確に切り替えて点灯させることができなかった。
【０００４】
本発明は、上記問題を解決するためになされたものであり、人の行動態様に応じて自動的に演出用照明と展示物確認用照明とを切り替え点灯することができ、演出用照明と展示物確認用照明とを省エネルギーにて両立することができる展示棚照明システムを提供することを目的とする。
【課題を解決するための手段】
【０００５】
上記目的を達成するために請求項１の発明は、展示棚の周辺を照明する演出用照明器具と、展示棚に収容される展示物の色調を人が認識し易いように当該展示物を照明する前記演出用照明器具とは別の確認用照明器具とを備えた展示棚照明システムであって、展示棚の通路側と、展示棚の棚内又は開口近傍とを検知エリアとする人感センサと、前記人感センサの人感検知信号に基づいて、検知エリア内の人がどのような行動態様であるかを判別し、人が展示棚の通路側を通行していると判別されたときは、前記演出用照明器具を点灯させ、人が展示物を取ろうとしていると判別されたときは、前記確認用照明器具を点灯させる制御部と、を備えたものである。
【０００６】
請求項２の発明は、請求項１に記載の発明において、前記確認用照明器具は、通路床面から略120cm以下の高さに設置されているものである。
【０００７】
請求項３の発明は、請求項１又は請求項２に記載の発明において、前記人感検知信号は、通信用インターフェースを介して展示物を管理するための管理用サーバに送信されるものである。
【発明の効果】
【０００８】
請求項１の発明によれば、人感センサにより展示棚の通路側に人が検知されたとき、演出用照明となり、人感センサにより展示棚の棚内又は開口近傍に人が検知されたとき、演出用照明となり、省エネルギー効果が高い照明演出が可能になる。また、顧客等は、展示棚に手を入れて手に取った展示物の色調や素材感を、迅速且つ正確に認識することが可能になる。
【０００９】
請求項２の発明によれば、確認用照明器具による光が人の目線に直接入りにくくなり、グレアを防止することができる。また、人が手に取った展示物をその近くから照明することができるので、確認用照明器具として出力電力を抑えた器具を用いることが可能になり、省エネルギー化が図れる。
【００１０】
請求項３の発明によれば、人感検知信号は展示物へのアクセス情報に相関したものとなるので、管理用サーバによって容易に管理することができる。
【発明を実施するための最良の形態】
【００１１】
（第1の実施形態）
本発明の第１の実施形態に係る展示棚照明システムについて図1乃至図４を参照して説明する。図１は、本実施形態に係る展示棚照明システムの外観構成を示す。展示棚照明システム（以下、本システムという）１は、展示物２を収容する展示棚３と、展示棚３の周辺を照明する演出用照明器具４と、展示物２を照明する確認用照明器具５と、展示棚３に設けられた第１の人感センサ６と、展示棚３に設けられ、第１の人感センサ６と異なる検知エリアを持った第２の人感センサ７と、演出用照明器具４及び確認用照明器具５を点灯制御する制御部８と、演出用照明器具４及び確認用照明器具５に電源から電力を供給する点灯回路９とを備える。
【００１２】
（展示棚）
展示棚３は、例えば、アパレルショップ等の店舗等に設けられ、図中の矢印Ａを展示棚３の前方としたとき、前方及び後方が通路に面している。店舗等においては、複数の展示棚がその長手方向に一列上に配置されると考えられる。展示棚３は、例えば、衣料品（スーツ、コート、セーター、シャツ、靴下、下着等）や服飾雑貨（靴、財布、鞄、帽子等）等の展示物２を棚内に収容する。展示棚３は、柱部材３１と、柱部材３１に略直角に接続される桁部材３２と、桁部材３２と固定され、展示物２が載置される棚板３３とで構成されている。展示棚３は、構成部品の有無や材質、色調、大きさ等に限定されるものではない。例えば、棚板３３を透明板や導光板等で構成してもよい。
【００１３】
（演出用照明器具）
演出用照明器具４は、展示棚３上部の桁部材３２に固定用フレーム３４を介して設置されている。演出用照明器具４の設置箇所は、上記箇所に限られず、例えば、柱部材３１の上部であってもよいし、展示棚３を配置した店舗の天井部であってもよい。また、演出用照明器具４が展示棚３や天井部等に複数配置されていてもよい。演出用照明器具４は、予め設定した演出照明用の点灯態様で点灯して、展示棚３や展示物２に対して人目の引くような演出照明を行う。このような点灯態様としては、例えば、演出用照明器具４の発光色を、展示棚３の周囲の雰囲気を落ち着かせ、且つ暖かみのある空間を作り出せる低色温度（２８００〜４５００Ｋ）のものにすることが挙げられる。また、上記発光色を季節感を演出できるように春夏秋冬に合わせて変化させたり、午後と午前で異なったものとなるように時間帯に応じて変化させたりしてもよい。演出用照明器具４は、蛍光灯や冷陰極ランプ、LED、有機EL等が挙げられ、これらを複数組み合わせて構成したものであってもよい。
【００１４】
（確認用照明器具）
確認用照明器具５は、人が展示棚３に収容された展示物２を手に取った際に、展示物２の色調を人が認識し易いように展示物２を照明する。確認用照明器具５は、高色温度で高演色で発光するものを用いることが望ましい。本実施形態において、確認用照明器具５は、ライン照明であって、展示棚３上部の桁部材３２に沿って、展示棚３の前後両側に１つずつ配置されている。このように、展示棚３と一体化させることで、展示棚３や店舗空間のデザイン性を損なわないようにできる。また、ライン照明とすることで、展示棚３の前方及び後方をムラなく照らすことができるので、人は展示棚３の前方及び後方における広い範囲で展示物２の色調を認識することができる。ライン照明としては、導光部材の両端又は片側に光源に設けた導光方式によるものや、複数のLEDを直線上に配置したもの、有機EL、蛍光ランプ等が挙げられる。
【００１５】
（第１の人感センサ）
第１の人感センサ６は、展示棚３の前後両側に１つずつ設けられており、展示棚３がその長手方向に面する通路側の範囲を検知エリア６１とし、この検知エリア６１に人が存在するか否かを検知するようになっている。本実施形態においては、展示棚３下部の桁部材３２に第１の人感センサ６をそれぞれ設置している。第１の人感センサ６としては、入手性や簡便性等の観点から、赤外線方式のものが挙げられる。また、超音波式やマイクロ波式、音響式のものであってもよい。赤外線方式の人感センサは、人体から出る赤外線に反応するものであって、人が近付くと人感センサ内のセンシング部が稼動し、人感検知信号を出力するものである。
【００１６】
（第２の人感センサ）
第２の人感センサ７は、展示棚３の前後両側に１つずつ設けられており、展示棚３の開口近傍であって、展示棚３がその長手方向に面する通路側の範囲を検知エリア７１とし、この検知エリア７１に人が存在するか否かを検知するようになっている。本実施形態においては、展示棚３上部の桁部材３２に第２の人感センサ７をそれぞれ設置している。第２の人感センサ７としては、第１の人感センサ６と同様に、赤外線方式のものを用いることが望ましい。
【００１７】
（制御部）
図２は、本実施形態に係る展示棚照明システムの電気的なブロック構成を示す。制御部８は、第１の人感センサ６及び第２の人感センサ７の人感検知信号に基づいて、検知エリア内の人がどのような行動態様であるかを判別し、この判別結果に基づいて演出用照明器具４及び確認用照明器具５を点灯制御する。制御部８には、展示物２を管理するための各種端末機器（管理用サーバ）に上記人感検知信号を送信する通信部１２が設けられている。通信部１２は、店舗内に設置された表示端末１３とイントラネット接続されており、この表示端末１３は、通信部１２からの人感検知信号を展示物２へのアクセス情報として表示する。これにより、店舗スタッフは、店舗内の状況をモニタリングすることができ、展示物２の注目度を把握したり、顧客の行動を分析したりすることができる。上記アクセス情報の履歴は、通信部１２と接続された記録部１４に記録される。また、通信部１２は、本社やフランチャイズ店等に設置された表示端末１５とインターネット接続されており、上記アクセス情報がこの表示端末１５に表示される。これにより、上記アクセス情報をマーケティングにさらに有効活用することが可能になる。なお、イントラネット接続及びインターネット接続の通信プロトコルとしては、ＬＡＮやＢｌｕｅｔｏｏｔｈ、電力線通信等が挙げられる。
【００１８】
図３は、本システム１における確認用照明器具５と展示物２を手に取った人との位置関係を示す。同図において、当該照明器具５の他は図示を省いているが、上記と同等である。確認用照明器具５は、人が手に取った展示物２をその近くから照明することができるように、成人の身長を考慮して通路床面から略120cm以下の高さに設置されている。確認用照明器具５の設置箇所は、上述した桁部材３２に限られず、例えば、展示棚３の背が高い場合には、通路床面からの高さが略120cm以下になる高さの棚板３３の前面に設置してもよい。確認用照明器具５を設置する際には、その照明光が上方へ出射しないように、確認用照明器具５の発光部を下向きに設定しておく。このように、下方へのみ確認用照明器具５の照明光を供給することで、上記照明光が人の目線に直接入りにくくなり、グレアを防止することができる。また、店舗空間の雰囲気を崩しにくくなる。
【００１９】
図４は、本システム１における第２の人感センサ７の検知エリアと展示棚３の通路側との位置関係を示す。検知エリア７１は、展示棚３にできるだけ近接した範囲であって、例えば、壁１０と展示棚３の間に挟まれた通路や、展示棚４と他の展示棚１１の間に挟まれた通路の幅７２に対してできるだけ小さな範囲としている。これにより、人が展示棚３の通路側を通行しているときには、第２の人感センサ７にその存在を検知させないようにしている。
【００２０】
次に、上記のように構成された本照明システム１の動作について説明する。第１の人感センサ６の検知エリア６１に人が居るときには、第１の人感センサ６は、その存在を検知して人感検知信号を制御部８に送信する。制御部８は、第１の人感センサ６の人感検知信号を受信すると、人が展示棚３の通路側を通行していると判別して、演出用照明器具４を点灯制御するための制御信号を点灯回路９に送信する。点灯回路９は、上記制御信号を受けて、演出用照明器具４に電力を供給し演出用照明器具４を点灯させる。ここで、第１の人感センサ６から人感検知信号が制御部８に送信されなくなると、制御部８は、上記人感検知信号が受信しなくなってから予め設定した所定時間が経過した後、演出用照明器具４を消灯させるようにする。
【００２１】
第２の人感センサ７の検知エリア７１に人が居るときには、第２の人感センサ７は、その存在を検知して人感検知信号を制御部８に送信する。制御部８は、第２の人感センサ７の人感検知信号を受信すると、人が展示棚３に手を入れて展示物２を取ろうとしていると判別して、展示棚３において検知があった第２の人感センサ７側に設けられた（検知側の）確認用照明器具５を点灯制御するための制御信号を点灯回路９に送信する。点灯回路９は、上記制御信号を受けて、検知側の確認用照明器具５に電力を供給し検知側の確認用照明器具５を点灯させる。ここで、制御部８は、第２の人感センサ７の人感検知信号を受信してから予め設定した所定時間が経過した後、確認用照明器具５を消灯させるようにする。確認用照明器具５を点灯させるとき又は消灯させるときには、緩やかにフェードさせることにより、展示物２の高級感を演出することができる。
【００２２】
本実施形態に係る展示棚照明システム１によれば、第１の人感センサ６により展示棚３の通路側に人が検知されたとき、演出用照明となり、第２の人感センサ７により展示棚３の棚内又は開口近傍に人が検知されたとき、演出用照明となり、省エネルギー効果が高い照明演出が可能になる。また、顧客等は、展示棚３に手を入れて手に取った展示物２の色調や素材感を、迅速且つ正確に認識することが可能になる。
【００２３】
（第２の実施形態）
本発明の第２の実施形態に係る展示棚照明システムについて図５を参照して説明する。図５は、本実施形態に係る展示棚照明システムの外観構成を示す。同図において、第２の人感センサ７の他は図示を省いているが、上記と同等である。本システム１では、第２の人感センサ７を棚板３３毎にその裏面の略中央部に設けて、棚板３３で区切られる棚内の空間をそれぞれの検知エリア７１としている点で第1の実施形態と相違する。このように構成することで、人が展示棚３の通路側を通行するときに、その存在が第２の人感センサ７によって検知されることがないので、確認用照明器具５が点灯することが確実に防止され、省エネルギー効果が一層高くなる。
【００２４】
（第３の実施形態）
本発明の３の実施形態に係る展示棚照明システムについて図６を参照して説明する。図６は、本実施形態に係る展示棚照明システムの外観構成を示す。本システム１では、図中の矢印Ａを展示棚３の前方としたとき、展示棚３がその後方に壁１６が近接するように配置されたことに伴って、展示棚３の前方である一方の通路側にのみ、第１の人感センサ６、第２の人感センサ７及び確認用照明器具５を設けている。その他の構成は、第1の実施形態と同様である。このように構成することにより、本システムの製造コストを抑えることが可能となる。
【００２５】
なお、本発明は、上記各種実施形態の構成に限られず、発明の趣旨を変更しない範囲で種々の変形が可能である。例えば、展示棚３に音声出力装置を設けて、演出用照明器具４が点灯するときには、店舗内の雰囲気を高めるように音楽を流すようしたものであってもよい。また、上記実施形態では、第１の人感センサ６と第２の人感センサ７とを別々に設けたものを示したが、１つの人感センサにより検知エリア６１と検知エリア７１とを併せ持つもので構成してもよい。
【図面の簡単な説明】
【００２６】
【図１】本発明の第1の実施形態に係る展示棚照明システムを示す斜視図。
【図２】同展示棚照明システムを示すブロック図。
【図３】同展示棚照明システムの確認用照明器具と人との位置関係を示す。
【図４】同展示棚照明システムの第２の人感センサの検知エリアと展示棚の通路側との位置関係を示す図。
【図５】本発明の第２の実施形態に係る展示棚照明システムを示す斜視図。
【図６】本発明の第３の実施形態に係る展示棚照明システムを示す斜視図。
【符号の説明】
【００２７】
１  展示棚照明システム
２  展示物
３  展示棚
４  演出用照明器具
５  確認用照明器具
６  第１の人感センサ
７  第２の人感センサ
８  制御部
【図１】
0005111978.tif 000002
【図２】
0005111978.tif 000003
【図３】
0005111978.tif 000004
【図４】
0005111978.tif 000005
【図５】
0005111978.tif 000006
【図６】
0005111978.tif 000007